(57)【要約】【課題】  かつら用クリップの挟持力を高め、かつらの頭部からの脱落ないしずれを防止することができるかつら用クリップを提供する。【解決手段】  本発明にかかるかつら用クリップ１００は、枠状の反転枠材１０と、前記反転枠材１０に取付けられた複数の櫛歯２０と、を備え、前記櫛歯２０は、頭髪を挟持した状態のときに、少なくともいずれかの隣接する櫛歯２０に重なるように形成されていることを特徴とする。かかる構成を採用することによって、従来のかつら用クリップと比較して、より強い挟持力で頭髪を挟持させることができる。【選択図】図１
2019189952.tif 000002
【特許請求の範囲】
【請求項１】
枠状の反転枠材と、
前記反転枠材に取付けられた複数の櫛歯と、
を備え、
前記櫛歯は、頭髪を挟持した状態のときに、少なくともいずれかの隣接する前記櫛歯に重なるように形成されていることを特徴とするかつら用クリップ。
【請求項２】
前記櫛歯は、枝部と、前記枝部の先端に形成された球状部とからなり、かつ、前記枝部で交差して形成されていることを特徴とする請求項１に記載のかつら用クリップ。
【請求項３】
前記櫛歯は、前記球状部で重なって形成されていることを特徴とする請求項２に記載のかつら用クリップ。
【請求項４】
前記櫛歯は、中央より外側で重なっている櫛歯は、内側にある前記櫛歯が外側にある櫛歯の上側に配置されるように重なっていることを特徴とする請求項１から３のいずれか１項に記載のかつら用クリップ。
【請求項５】
前記櫛歯は、前記枝部がクランク状に屈折又は湾曲して形成されていることを特徴とする請求項２又は３に記載のかつら用クリップ。
【請求項６】
請求項１から５のいずれか１項に記載のかつら用クリップを備えたかつら。
【発明の詳細な説明】
【技術分野】
【０００１】
本発明は、かつら用クリップに関する。
【背景技術】
【０００２】
かつらを頭髪に固定するためのかつら用クリップとして、湾曲して反転可能なベースフレームの一面側に設けられ、ベースフレームとの間にかつらベースの周縁を挟持する挟持部３と、ベースフレームの他面側に当接可能に設けられ、ベースフレーム２との間に地毛を挟持する櫛歯とを備え、挟持部のベースフレームからの突出方向が、櫛歯部のベースフレームからの突出方向と逆方向に設定されているものが提案されている（特許文献１）。
【０００３】
かかるかつら用クリップによれば、かつらベースが上方に浮き上がるようにずれを生じようとする場合でも、かつらベースの周縁をしっかりと挟持して、かつらの頭部からの脱落ないしずれを確実に防止することができるという効果がある。
【先行技術文献】
【特許文献】
【０００４】
【特許文献１】特開２００１−３２９４２２号公報
【発明の概要】
【発明が解決しようとする課題】
【０００５】
本発明者は、さらに、かつら用クリップの挟持力を高め、かつらの頭部からの脱落ないしずれを防止することができるかつら用クリップを提供することを目的とする。
【課題を解決するための手段】
【０００６】
本発明は、上述の主目的の少なくとも１つを達成するために以下の手段を採った。
【０００７】
本発明にかかるかつら用クリップは、
枠状の反転枠材と、
前記反転枠材に取付けられた複数の櫛歯と、
を備え、
前記櫛歯は、頭髪を挟持した状態のときに、少なくともいずれかの隣接する櫛歯に重なるように形成されていることを特徴とする。
【０００８】
かつら用クリップが頭髪を挟持した状態のときに、櫛歯同士が重なるようにして形成することによって、一方の櫛歯が他方の櫛歯を押圧することになるため、頭髪を挟持する力を強くすることができる。このため、より外れにくいかつら用クリップとすることができる。また、同様の挟持力であっても細い櫛歯を採用することができるようになる。
【０００９】
また、本発明にかかるかつら用クリップにおいて、
前記櫛歯は、枝部と、前記枝部の先端に形成された球状部とからなり、かつ、枝部で交差して形成されていることを特徴とするものであってもよい。
【００１０】
櫛歯の枝部で交差させて形成することによって、かつら用クリップが頭髪を挟持した状態のときに、挟持力を強くすることができることに加え、櫛歯の枝部間においても頭髪を挟持することができる。このため、さらに強い挟持力を有するかつら用クリップを提供することができる。
【００１１】
さらに、本発明にかかるかつら用クリップにおいて、
前記櫛歯は、前記球状部で重なって形成されていることを特徴とするものであってもよい。
【００１２】
櫛歯の球状部で重なるように形成することによって、枝部の部分には隙間が発生する。これにより、枝部で頭髪を挟持することを防止できる。
【００１３】
さらに、本発明にかかるかつら用クリップにおいて、
前記櫛歯は、中央より外側で重なっている櫛歯は、内側にある櫛歯が外側にある櫛歯の上側に配置されるように重なっていることを特徴とするものであってもよい。
【００１４】
かかる構成を採用することによって、内側の櫛歯によって外側の櫛歯をより強く押圧することになるため、より強い挟持力で頭髪を挟持することができる。
【００１５】
さらに、本発明にかかるかつら用クリップにおいて、
前記櫛歯は、枝部がクランク状に屈折又は湾曲して形成されていることを特徴とするものであってもよい。
【００１６】
枝部を屈折又は湾曲して形成することによって、一方の櫛歯が他方の櫛歯を押圧する圧力の強さを調整することができる。そのため、より最適な挟持力を有するかつら用クリップを提供することができる。
【００１７】
本発明は、前述した効果を有するかつら用クリップを備えたかつらをも提供する。
【図面の簡単な説明】
【００１８】
【図１】図１は、第１実施形態にかかるかつら用クリップ１００の構成の概略を示す図である。
【図２】図２は、第１実施形態にかかるかつら用クリップ１００の櫛歯２０の状態を示す図である。
【図３】図３は、重なりがなかった場合のかつら用クリップの櫛歯２０の状態を示す図である。
【図４】図４は、第２実施形態にかかるかつら用クリップ１００の構成の概略を示す図である。
【発明を実施するための形態】
【００１９】
次に、本発明にかかるかつら用クリップ１００の実施形態について、図を参照して詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２０】
（第１実施形態）
本発明の第１実施形態にかかるかつら用クリップ１００が、図１に示されている。図１Ａは、かつら用クリップ１００の上面図であり、図１Ｂ及び図１Ｃは、かつら用クリップ１００の前面図である。なお、説明の便宜上、図１における矢印の方向をそれぞれ、「上下」、「左右」「前後」として説明する。第１実施形態にかかるかつら用クリップ１００は、主として、反転枠材１０と、この反転枠材１０に取付けられた複数の櫛歯２０と、を備えている。
【００２１】
反転枠材１０は、弾性変形可能な金属又はプラスチックで作製されており、実施形態においては、上面から見た場合に略長方形に形成されており、内部には略長方形の孔が形成されている。しかしながら、反転枠材１０の外形は特に限定するものではなく、正方形であってもよいし、楕円形であってもよく、孔が形成されていればよい。また、反転枠材１０は、前方から見た場合に湾曲して形成されており、反転枠材１０の弾性によって、図１Ｂ又は図１Ｃに示すように、上方が凸の湾曲状態と下方が凸状の湾曲状態とを保持することができる。
【００２２】
櫛歯２０は、反転枠材１０の一つの辺１１から対辺１２側に向かって、対辺１２を超えて延設された複数の細い棒状体で作製されている。櫛歯２０は、反転枠材１０と一体に作製してもよいし、反転枠材１０に溶接等によって後加工で接合してもよい。櫛歯２０は、一端挟持した頭髪が先端から抜けづらくなるように、先端に枝部２１の部分よりも直径が一回り大きく形成された球状部２２が設けられている。また、櫛歯２０は、図１Ａに示すように、反転枠材１０が櫛歯２０側に凸状の湾曲した状態に形成されている場合には、櫛歯２０が反転枠材１０に対して隙間が空いた状態（以下、「開いた状態」という。）となるように取付けられる（図２Ａ）。一方、反転枠材１０が櫛歯２０側に対して凹状の湾曲状態に形成されている場合は、櫛歯２０の一部又は全部が接触している状態（以下、「閉じた状態」という。）となるように形成される（図２Ｂ）。櫛歯２０は、図２に示すように、屈曲又は湾曲させて形成してもよい。本実施形態においては、対辺１２の後方側で、一端上方に湾曲又は屈曲させた後、対辺１２の後端近傍で反対方向（下方方向に）に湾曲又は屈曲させ、全体としてクランク状に形成している。このように櫛歯２０を屈曲又は湾曲させることによって、反転枠材１０の湾曲率を小さくしても効果的に隙間を開いた状態と空いた状態とを形成することができる。
【００２３】
さらに、本発明にかかるかつら用クリップ１００の櫛歯２０は、左右に隣接するいずれかの櫛歯２０と、上下に重なるように配置されている。すなわち、図１に示すように、櫛歯２０が枝部２１で交差して形成されている。こうした状態に形成することによって、上側に配置された櫛歯２０ａが下側に配置された櫛歯２０ｂに対して押圧する力が加わるので、下側に配置された櫛歯２０ｂがより強く反転枠材１０の対辺１２を押圧することになる。これは、本来、下側に配置された櫛歯２０ｂがなければ、図３に示すように、上側に配置されている櫛歯２０及び下側に配置されている櫛歯２０のいずれも、対辺１２に接触して押圧する位置まで移動する。従って、上側に配置されている櫛歯２０は、もっと下方に配置されているはずの圧力が下側に配置された櫛歯２０ｂに対して加わることになる。よって、下方に配置された櫛歯２０ｂの反転枠材（対辺１２）に対する押圧力は、１本の場合と比較して強くなる。従って、頭髪をより強い力で押圧し挟持するため、より頭髪から外れにくいかつら用クリップとすることができる。また、櫛歯２０の枝部２１を細くした場合であっても従来と同様の挟持力を発揮させることができる。
【００２４】
なお、櫛歯２０の重なりは隣接する櫛歯２０のいずれが上方側に配置されてもよいが、図１に示すように、隣接する櫛歯２０において、反転枠材１０の左右中央（一点鎖線の位置）、すなわち、図１Ｂの前面図で見た場合に、反転枠材１０の湾曲面が最も下方に位置している部分を境に、左側に存在する重なった櫛歯郡（四角枠Ｌで囲まれた櫛歯２０）の重なり具合は、中央に近い側（右側）の櫛歯２０が上方に配置されるように重ねるとよい。また、反転枠材１０の湾曲面が最も下方に位置している部分を境に、右側に存在する重なった櫛歯郡（四角枠Ｒで囲まれた櫛歯２０）の重なり具合は、中央に近い側（左側）の櫛歯２０が上方に配置されるように重ねるとよい。仮に交差していない従来の櫛歯の場合を想定すると図３に示すように、中央側の櫛歯２０にいくほど、下方側に配置されていることがわかる。すなわち、中央側にある櫛歯２０を上方側に配置させることによって、より強い押圧力を下方の櫛歯２０ｂに対して与えることができるようになり、外れにくいかつら用クリップを提供することができる。
【００２５】
以上のようにして作製されたかつら用クリップ１００の使用方法について説明する。かつらは、一般的に、かつら用ベースと、このかつら用ベースに対して複数の毛髪を植設して形成されている。かつら用ベースは、一般的にネット状に形成されているか、又はシート状の合成樹脂等で形成されている、かつら用クリップ１００は、このかつら用ベースの内側（頭髪が植設されている側と反対側）に取付けられる。取付け位置は特に限定するものではないが、一般的には、前額側の頭髪の生え際の近傍に設けられる。こうして取付けられたかつら用クリップ１００は、開いた状態で頭髪を拾い上げた状態で、閉じた状態にすることで頭髪が固定されることになる。この際に、前述したように挟持力が従来のかつら用クリップより強くなることに加え、櫛歯２０同士によっても頭髪を挟むことができるため、より外れにくいかつらとすることができる。
【００２６】
（第２実施形態）
第２実施形態にかかるかつら用クリップ１００が図４に示されている。第２実施形態にかかるかつら用クリップ１００は、櫛歯２０の重なり具合が異なるのみでその他の構成は第１実施形態と同様であるので、説明を省略する。
【００２７】
第２実施形態にかかるかつら用クリップ１００は、一方の櫛歯２０が隣接する櫛歯２０に対して、閉じた状態のときに球状部２２同士が重なるように形成されている。かかる構成を採用することによって、櫛歯２０と反転枠材１０との間で頭髪を挟持することができ、また櫛歯２０同士の間には隙間が形成されるので、より多くの頭髪を挟み込むことができ、より強固に頭髪を固定することができ、より外れにくいかつら用クリップを提供することができる。
【００２８】
このように本発明にかかるかつら用クリップによれば、従来のかつら用クリップと比較して、より強い挟持力で頭髪を挟持させることができる。
【産業上の利用可能性】
【００２９】
上述した実施の形態で示すように、かつら用のクリップとして利用することができる。
【符号の説明】
【００３０】
１０…反転枠材、１１…辺、１２…対辺、２０…櫛歯、２０ａ…櫛歯、２０ｂ…櫛歯、２１…枝部、２２…球状部、１００…かつら用クリップ
【図１】
2019189952.tif 000003
【図２】
2019189952.tif 000004
【図３】
2019189952.tif 000005
【図４】
2019189952.tif 000006